(57)【要約】      （修正有）【課題】靴磨き後の手洗いを必要としない、手肌に付着しても安全な靴磨きシートを提供する。【解決手段】不織布又はパルプ製の紙シートに、化粧品グレードの成分で処方した、革靴表面に塗布するとツヤを与え、撥水することも可能な液剤を含浸させ、一方は革靴用のツヤ出しシートとして、他方はお手拭き用シートとして用いることで、革靴の手入れ後の手の汚れや付着物による不快感を解消できる。【選択図】図１
0003225194.tif 000002
【実用新案登録請求の範囲】
【請求項１】
誰もが手で容易に切り取ることのできる部分を備えた収納容器内に、化粧品グレードの成分で処方した革靴表面に塗布するとツヤを与え、撥水する効果も付加した液剤を含浸させた矩形小片型のシートを、縦軸または横軸方向に折り畳んだ状態で積層し収納させたことを特徴とする手肌に安全な靴磨きシート。
【請求項２】
矩形小片型のシートのうち、一方を革靴用のツヤ出しシートとして、他方をお手拭き用シートとして用いることで、革靴の手入れ後の手の汚れや付着物による不快感を解消できることを特徴とする請求項１記載の手肌に安全な靴磨きシート。
【考案の詳細な説明】
【技術分野】
【０００１】  本考案は、靴磨き後の手洗いを必要としない、手肌に付着しても安全な靴磨きシートに関するものである。
【背景技術】
【０００２】  従来、この種の靴磨きシートは、通勤等で靴が塵埃や、汚れが付着したりしたときに、不織布にツヤ出し用の液剤を含浸させ、靴表面の塵埃や汚れの領域を拭き取っていた。【０００３】  特許文献１には、流体状の靴磨き剤が充填され、外力により破裂することにより靴磨き成分を散布できる矩形状のシート、またはそれが複数枚重ねられたものが掲載されている。
【先行技術文献】
【特許文献】
【０００４】
【特許文献１】特開平０４−０４４９６７号公報
【考案の概要】
【考案が解決しようとする課題】
【０００５】  しかしながら、特許文献１のような現在流布している靴磨きシートを使用した後、つまり靴磨き作業の終了後、シートに含浸されているツヤ出し用の液剤が手に付着するため、使用後に手を洗う必要性があった。
【課題を解決するための手段】
【０００６】  本考案は、このような問題を解決するためになされたものであり、その目的となすところは、靴磨きシートで靴を手入れした後に、手肌にツヤ出し用液剤が付着しても安全なシートを提供することにある。
【考案の効果】
【０００７】  本考案は、不織布又はパルプ製のシートに、化粧品グレードの成分で処方した、革靴表面に塗布するとツヤを与え、撥水することも可能な液剤を含浸させ、一方は革靴用のツヤ出しシートとして、他方はお手拭き用シートとして用いることで、革靴の手入れ後の手の汚れや付着物による不快感を解消できる利点がある。
【図面の簡単な説明】
【０００８】
【図１】本考案の一パターンを例示する図である。
【図２】本考案の一パターンを例示する図である。
【図３】本考案の一パターンを例示する図である。
【図４】本考案の一パターンを例示する図である。
【考案を実施するための形態】
【０００９】  以下、図１を用いて、第一実施形態の手肌に安全な靴磨きシートを説明する。
【００１０】  本考案は、衛生的であり、誰もが容易に携帯することができる目的を、袋状の収納容器１５内に、化粧品グレードの成分で処方した、革靴表面に塗布するとツヤを与え、撥水することも可能な液剤を含浸させた矩形小片型のシート１７を縦軸または横軸方向に折り畳んだ状態で積層して収納させること、により実現させた。
【実施例１】
【００１１】  この考案の一実施形態を、図１に示す。【００１２】  本例を、図１を参照して説明する。【００１３】  本例に係る手肌に安全な靴磨きシート１は、側面に手で容易に切り取ることのできる部分１３を備えた収納容器１５内に、化粧品グレードの成分で処方した、革靴表面に塗布するとツヤを与え、撥水することも可能な液剤を含浸させた矩形小片型のシート１７を縦軸、横軸方向に折り畳んだ状態で積層して収納させたものである。【００１４】  本例において、収納容器１５は手で容易に切り取ることのできる部分１３を側面に備え、図１のように、外面から靴磨き用シート、お手拭き用シートと内容物が分かるデザインとする。【００１５】  また、シート１７の成型工程を説明する。【００１６】  まず、繊維素材を多く含んだ矩形の原紙１７ａを用意し、化粧品を含浸させる。【００１７】  本例において、化粧品とは手肌につけても安全なレベルまで、夾雑物を取り除き純化させた化粧品グレード成分で処方した液剤である。【００１８】  また、本例における化粧品グレードの成分には、革靴表面に塗布すると撥水する効果を有する成分が含有されている。【００１９】  次いで、点線で示す折り畳み線１７ｂに沿って折り畳んだ状態とする。【００２０】  この折り畳んで成った矩形小片型シートを２枚、収納容器１５に入れ密封させ、携帯することを容易とする。【００２１】  この収納容器１５に密封した状態で表裏面の意匠を変え、一方を靴磨き用、他方をお手拭き用と商品の外面から分かるものとする。【００２２】  本例に係る手肌に安全な靴磨きシート１の使用に際しては、従前の靴磨きシートと同様、１枚ずつ取り出して、一方は靴磨きに、他方はお手拭きに用いる。
【実施例２】
【００２３】  この考案の別の実施形態を図２に示す。【００２４】  本例を、図２を参照して説明する。【００２５】  本例に係る手肌に安全な靴磨きシート２は、実施例１の布の枚数を１枚にし、化粧品グレードの成分で処方した、革靴表面に塗布するとツヤを与え、撥水する効果を付加した実施例１の液剤を含浸させているのは上の事例と同一であるが、この布を使用者が目打２３で２枚に分けて使用する実施形態である。【００２６】  実施例１の布を矩形に切った、本例に係る手肌に安全な靴磨きシート２を図２に基づいて説明する。【００２７】  まず、繊維素材を多く含んだ矩形小片型原紙２１ａを用意し、実施例１の液剤を含浸させる。【００２８】  実施例１と同様に折り畳み線２１ｂに沿って折り畳んだ状態とする。【００２９】  この折り畳んで成った矩形小片型シートを１枚、収納容器２５に入れ密封させ、携帯することを容易とする。【００３０】  この収納容器２５は実施例１とは異なり、矩形小片型シートを１枚しか入れないため、表面に対象の革靴の意匠を、裏面には注意事項や本品の説明を記す。【００３１】  本例に係る手肌に安全な靴磨きシート２の使用方法について図２に基づいて説明する。【００３２】  縦軸方向に入れた切断線に沿って目打を入れた部分２３で２枚に切り、一方は靴磨きに、他方はお手拭きに用いる。
【実施例３】
【００３３】  図３に別の実施形態を示す。【００３４】  本例を、図３を参照して説明する。【００３５】  本例は実施例１の矩形状の布３を１枚とし、上記の例と同一な化粧品グレードの成分で処方した、革靴表面に塗布するとツヤを与え、撥水する効果を付加した実施例１の液剤を含浸させているが、１枚の布を境界線３５で２つの領域に分け、一方を靴磨きに使用する領域３３ａに、他方をお手拭きに使用する領域３３ｂにする。【００３６】  境界線３５については、明確な線で分けるのではなく、折り畳み線で分けることにする。【００３７】  本例の収納容器は上の収納容器２５と同じものを考えている。
【実施例４】
【００３８】  図４にさらに別の実施形態を示す。【００３９】  本例を、図４を参照して説明する。【００４０】  上の実施例３は２つの場所にあらかじめ分けて使用する形式であったが、本例は１枚の布４で分けず、使用者が靴磨きとお手拭きの領域を自由に選択することができる例である。【００４１】  矩形状の化粧品グレードの成分で処方した、革靴表面に塗布するとツヤを与え、撥水する効果を付加した実施例１の液剤を含浸させている布４１を１枚使用する。【００４２】  この布で靴を拭いた後、その布の使用していない液剤が含浸している領域で、ウェットティッシュのような手肌を拭き清潔にし、不快感を解消させることができる。【００４３】  本例に係る手肌に安全な靴磨きシート４は、上記３例より小さい大きさにし、より様々な場所に容易に携帯できるようにしたものである。【００４４】  収納容器は、意匠に関しては収納容器２５と同じであるが、容器の大きさは他の３例より小さいものとする。【００４５】  以上本考案の実施例について説明したが、本考案はこのような実施例に何等限定されるものでなく、本考案の要旨を逸脱しない範囲において種々なる態様で実施得ることはもちろんである。
【産業上の利用可能性】
【００４６】  本考案に係る手肌に安全な靴磨きシートは、外出時の携帯用として使用するために開発したものであるが、外泊時のホテルのアメニティ用品、その他の用途にも適用できる。
【符号の説明】１  実施例１に係る手肌に安全な靴磨きシート
１３  側面で切り取ることができる部分
１５  収納容器
１７  紙シート
２  実施例２に係る手肌に安全な靴磨きシート
２１  紙シート
２３  目打
２５  収納容器
３  実施例３に係る手肌に安全な靴磨きシート
３１  紙シート
３３  用途の異なる箇所
３５  ３３の境界線
４  実施例４に係る手肌に安全な靴磨きシート
４１  紙シート
【図１】
0003225194.tif 000003
【図２】
0003225194.tif 000004
【図３】
0003225194.tif 000005
【図４】
0003225194.tif 000006